(57)【要約】【課題】出入国審査にて類似のものを抽出し画面表示させることで、自動的に注意喚起するシステムを提供する。【解決手段】外国人の出入国状況を管理するシステムにおいて、旅券に記載された情報を読取る読取り部、外国人の出入国情報を記録する記録装置、条件を付けて整理された出入国管理情報を元に一定の評価基準を超えた情報を記録する記録装置、審査官の持つ独自の判断基準をパラメータ化して記録する記憶装置、審査に利用された情報が適合した場合にその実績をパラメータ化して記録する記録装置、読取った情報と記録装置に記録されている情報が条件に適合しているか判定する判定装置、読取った情報や記憶装置に記録されている情報を表示する表示部及び、これらの制御装置を備える。【選択図】  図１
2004246630.tif 000002
【特許請求の範囲】
【請求項１】
外国人の出入国状況を管理するシステムにおいて、旅券に記載された情報を読取る読取り部、外国人の出入国情報を記録する記録装置、条件を付けて整理された出入国管理情報を元に一定の評価基準を超えた情報を記録する記録装置、審査官の持つ独自の判断基準をパラメータ化して記録する記憶装置、審査に利用された情報が適合した場合にその実績をパラメータ化して記録する記録装置、読取った情報と記録装置に記録されている情報が条件に適合しているか判定する判定装置、読取った情報や記憶装置に記録されている情報を表示する表示部及び、これらの制御装置を備えることを特徴とする出入国審査支援システム。
【発明の詳細な説明】
【０００１】
【発明の属する技術分野】
本発明は、外国人の出入国状況を管理するシステムに関し、特に、旅券に記載された情報により出入国審査支援システムに関する。
【０００２】
【従来の技術】
従来の出入国審査では、ＭＲＰ（機械で情報が読取りできる旅券）を使用して身分事項（国籍、生年月日、性別など）を機械で読取り、過去の審査情報と突合せを行うシステムが、審査を簡略化する意図を持って各国で適用されている。
【０００３】
しかし、情報自体が詐称されている場合もあるため、経験による判断と合わせて運用されている。
【０００４】
【発明が解決しようとする課題】
上記システムの問題点としては、出入国審査を行う際に、情報自体が詐称されていた場合には、一致したものが探せないので経験による判断を引き続き必要としていた。
【０００５】
類似のものも必要であるが、全てをチェックするのは手間がかかり、類似度の高いものを抽出することが必要である。
【０００６】
このため、この情報のみでは簡略化されていないのが現状である。
【０００７】
本システムの目的は、出入国審査にて類似のものを抽出し画面表示させることで、自動的に注意喚起するシステムを提供することにある。
【０００８】
【課題を解決するための手段】
上記目的を達成するために、本システムでは、外国人の出入国情報を記録するテーブルを備える。さらに、整理された出入国管理テーブルを元に一定の評価基準を超えた情報を記録したところのテーブルであるグレーリストテーブルを備える。さらに、審査官の持つ独自の判断基準をパラメータ化して記録するテーブルを備える。さらに、審査に利用された情報が適合した場合にその実績をパラメータ化して記録するテーブルを備える。これらのテーブルを参照することによって、類似のものを検索判定できる。
【０００９】
そして、出入国審査を行う空海港などの部署に上記データベースを管理する記憶装置とデータの送受信を行う制御装置を設置する。
【００１０】
この制御装置は、出入国者が所持する旅券に記載された情報を読取る機能、記憶装置から適合する情報を取得する機能、両者の情報が条件に適合しているか判定する機能と取得した情報及び、適合したことを示すメッセージを表示する機能を備える。
【００１１】
審査の際には、まず、出入国者が所持する旅券から身分事項情報を読取り部で読取り、事前に整理されている情報との適合の有無を判定する。適合する場合は、確認要なるメッセージを他の文字とは異なる色で点滅表示させる。
【００１２】
今回は、視覚的な処理を取り上げたが、特殊感覚及び、体性感覚などを適用しても良い。
【００１３】
これにより、出入国審査において、情報自体が詐称されている場合にも経験による判断に頼ることなく、自動的に注意喚起できるため、緻密かつ迅速に審査することができる。
【００１４】
【発明の実施の形態】
以下、本システムの実施の形態について図面により詳細を説明する。
【００１５】
図１は、本システムを適用した実施の形態に係わるシステムの概略構成をブロック図で示したものである。
【００１６】
図１において、１０は制御装置、２０は旅券に記載された情報を読取る読取り部、３０は旅券に記載された情報及び身分事項と事前に整理されている情報との適合の有無を判定した結果を表示する表示部である。
【００１７】
本システムの実施の形態は、１０の制御装置はパーソナルコンピュータ、ワークステーション、若しくは専用の制御装置でも構わない。
【００１８】
制御装置１０はグレーリスト適合判定機構１１、知識情報パラメータ化機構１２、パラメータ実績評価機構１３を有している。外部記憶装置４０は、出入国管理テーブル５０、知識テーブル６０、実績テーブル７０、グレーリストテーブル８０を持ち、ネットワークを介して制御装置１０から参照可能となっている。
【００１９】
ここで、グレーリスト適合判定機構１１は出入国審査の際、読取り部２０で読取った旅券の記載情報と外部記憶装置４０に記録されているグレーリストテーブル８０との適合性を判定する機構である。
【００２０】
知識情報パラメータ化機構１２は、グレーリストテーブル８０に対して、審査官の持つ独自の判断基準もパラメータ化して反映する機構である。
【００２１】
パラメータ実績評価機構１３は出入国審査の際、読取り部２０で読取った旅券の記載情報と外部記憶装置４０に記録されているグレーリストテーブル８０の情報が適合した場合にその実績をパラメータ化して記録する機構である。
【００２２】
次に、図２の出入国管理テーブル５０の説明を行う。
【００２３】
出入国管理テーブル５０は過去に要注意として記録されている人物の国籍５１、生年月日５２、性別５３、氏名５４で構成される。
【００２４】
次に、図３の知識テーブル６０の説明を行う。
【００２５】
知識テーブル６０は審査官が持つ独自の判断基準をパラメータ化した国籍６１、生年月日６２、性別６３で構成される。
【００２６】
次に、図４の実績テーブル７０の説明を行う。
【００２７】
実績テーブル７０は、出入国管理テーブル５０より抽出された人物の国籍７１、生年月日７２、性別７３と情報が審査に利用された場合、その時の実績を加算する適合回数７４で構成される。
【００２８】
次に、図５のグレーリストテーブル８０の説明を行う。
【００２９】
グレーリストテーブル８０は、出入国管理テーブル５０より抽出された人物情報、定期的に更新される知識テーブル６０、実績テーブル７０の国籍８１、生年月日８２、性別８３、適合回数８４及び、テーブルに取込まれた日付を示す登載年月日８５で構成される。
【００３０】
次に、このシステムによる出入国審査の処理を図６のフローチャートに従い説明する。
【００３１】
出入国者が審査官へ旅券を提示すると、提示された旅券を読取り部２０によって読取り、記載情報を記憶する（ステップ１０１）。
【００３２】
次に、読取った記載情報を表示部に表示する（ステップ１０２）。
【００３３】
次に読取った記載情報からグレーリストテーブル８０を参照し、適合の有無を判定する（ステップ１０３）。
【００３４】
ここで、適合する場合は、表示部３０に確認要なるメッセージを他の文字とは異なる色で点滅表示させる（ステップ１０４）。通常とは異なる色、形式で表示することにより判定結果を明確にする。この表示の１例を図７に示す。
【００３５】
次に、グレーリストテーブル８０の情報が審査に利用された場合、その時の実績を適合回数として加算しパラメータ化して記録する（ステップ１０５）。
【００３６】
最後に実績テーブル７０及び、知識テーブル６０を定期的にグレーリストテーブル８０へ反映する（ステップ１０６）。この処理を評価として繰り返し行うことにより、情報の最適化及び成長させることができる。
【００３７】
さらに、反映する情報を他のものから取り入れて共有化することで効果を上げることができる。
【００３８】
上記処理において、処理される申請書類と記載情報は、旅券と身分事項しか示されていないが、勿論、実際には共通化できる情報であれば問題なく適用できる。
【００３９】
また、業務は出入国審査に特化することはなく、例えば、クレジットカード決済など、審査を必要とする業務に適用しても良い。
【００４０】
次に、図７の表示部の説明を行う。
【００４１】
表示部３０は、読取り部２０で読取った旅券の記載情報を表示する３１、確認要なるメッセージを他の文字とは異なる色で点滅表示させる３２で構成される。
【００４２】
【発明の効果】
以上説明したように、本システムによれば、出入国審査にて類似のものを抽出し画面表示させることで、自動的に注意喚起できるため、緻密かつ迅速に審査することができ、これにより誤った審査を未然に防ぐ手助けとなる。
【００４３】
さらに、グレーリストテーブル８０の情報が審査に利用された場合は、その実績をパラメータとして実績テーブル７０に反映する。この処理を評価として繰り返し行うことにより、グレーリストテーブル８０の信頼度を向上することができる。
【００４４】
また、知識テーブル６０に対して、審査官の持つ独自の判断基準もパラメータ化して反映することで、知的情報の共有化も実現できる。
【図面の簡単な説明】
【図１】本発明の実施の形態に係わるシステムの概略構成を示すブロック図。
【図２】出入国管理テーブル５０の構成図。
【図３】知識テーブル６０の構成図。
【図４】実績テーブル７０の構成図。
【図５】グレーリストテーブル８０の構成図。
【図６】審査の手続きを示すフローチャート。
【図７】表示部３０の表示例を示す図。
【符号の説明】
１０…制御装置、１１…グレーリスト判定機構、１２…知識情報パラメータ化機構、１３…パラメータ実績評価機構、２０…読取り部、３０…記載情報表示部、３１…旅券読取り情報表示部、３２…旅券判定結果表示部、４０…外部記憶装置、５０…出入国管理テーブル、６０…知識テーブル、７０…実績テーブル、８０…グレーリストテーブル。
【図１】
2004246630.tif 000003
【図２】
2004246630.tif 000004
【図３】
2004246630.tif 000005
【図４】
2004246630.tif 000006
【図５】
2004246630.tif 000007
【図６】
2004246630.tif 000008
【図７】
2004246630.tif 000009